(57)【要約】【課題】ピンジャックのＥＭＩ対策に要する部品点数の削減を図る。【解決手段】シールドケース２０，　２１からピンジャック１８を外部へ突出させるために溝２２に突起２３を設けて、突起２３をピンジャック１８のスリーブ部１８ａへ接触させる。ピンジャックをシールドケースの溝へ嵌合させて直接接触させることにより、ピンジャックとシャーシやシールドケースに介装するシールドプレートが不要となる。【選択図】　図４
2004127852.tif 000002
【特許請求の範囲】
【請求項１】
シールドケース内にピンジャックを搭載した回路基板を収容し、シールドケースに形成した穴または溝からピンジャックを外部へ突出させるとともに穴または溝の内縁に突起を設け、突起をピンジャックのスリーブ部へ圧接させてピンジャックをシールドケースへ接地させるピンジャックのシールド方法。
【請求項２】
上記シールドケースは二分割構造のシールドケースであり、一方のシールドケースに形成した溝から回路基板のピンジャックを外部へ突出させ、溝の内縁に設けた突起をピンジャックのスリーブ部へ圧接させるとともに、他方のシールドケースの側縁をピンジャックのスリーブ部へ接触させてピンジャックをシールドケースへ接地させる請求項１記載のピンジャックのシールド方法。
【発明の詳細な説明】
【０００１】
【発明の属する技術分野】
この発明は、ピンジャックのシールド方法に関するものであり、特に、部品点数を削減したピンジャックのシールド方法に関するものである。
【０００２】
【従来の技術】
映像機器やオーディオ機器等において信号入出力用のピンジャックにＥＭＩや静電ノイズの対策としてシールドを施す場合は、ピンジャックボディの前面にシールドプレートを装着し、シールドプレートをシャーシや金属パネルに接地させている。
【０００３】
図５はシールドプレート１を示し、ピンジャックのスリーブ部の外径よりやや大きい穴２が形成されていて、穴２の内周に複数の突起３が設けられている。そして、図６に示すようにシールドプレート１の穴２内にピンジャック４のスリーブ部４ａを挿入すると、シールドプレート１の突起３がスリーブ部４ａに圧接し、シールドプレート１をシャーシ或いは金属パネル等に接触させることにより、スリーブ部４ａが接地されて電磁ノイズや静電ノイズの発生が防止される。
【０００４】
【発明が解決しようとする課題】
従来、ピンジャックにシールドを施す場合は、ピンジャックとは別体のシールドプレートを装着しており、部品点数が増加してコスト高となる。そこで、ピンジャックのシールドに要する部品点数を削減するために解決すべき技術的課題が生じてくるのであり、本発明は上記課題を解決することを目的とする。
【０００５】
【課題を解決するための手段】
この発明は、上記目的を達成するために提案するものであり、シールドケース内にピンジャックを搭載した回路基板を収容し、シールドケースに形成した穴または溝からピンジャックを外部へ突出させるとともに穴または溝の内縁に突起を設け、突起をピンジャックのスリーブ部へ圧接させてピンジャックをシールドケースへ接地させるピンジャックのシールド方法を提供するものである。
【０００６】
また、上記シールドケースは二分割構造のシールドケースであり、一方のシールドケースに形成した溝から回路基板のピンジャックを外部へ突出させ、溝の内縁に設けた突起をピンジャックのスリーブ部へ圧接させるとともに、他方のシールドケースの側縁をピンジャックのスリーブ部へ接触させてピンジャックをシールドケースへ接地させるピンジャックのシールド方法を提供するものである。
【０００７】
【発明の実施の形態】
以下、この発明の実施の一形態を図に従って詳述する。図１は、パーソナルネットワークカメラの第一回路基板１１と第二回路基板１２を示し、それぞれ相手側に対向する面を示している。二枚の回路基板１１，　１２は両面銅張印刷配線板であって、図示は省略するが両面にＬＳＩやトランジスタ、コンデンサや抵抗などのチップ部品が搭載され、基板のエッジには電源コネクタや各種の入出力コネクタなどが配置される。
【０００８】
第一回路基板１１には基板対基板接続コネクタのソケット１３ａ，　１４ａが取付けられており、第二回路基板１２には基板対基板接続コネクタのプラグ１３ｂ，　１４ｂが取付けられている。ソケット１３ａとプラグ１３ｂとからなる基板対基板接続コネクタ１３は、例えば５０ピンの平行接続型コネクタである。ソケット１４ａとプラグ１４ｂとからなる基板対基板接続コネクタ１４は、例えば８ピンのずれ吸収型コネクタであって、回路基板へ半田付けされる端子部に対して嵌合部が変位できる公知のずれ吸収構造となっている。したがって、基板対基板接続コネクタ１３のソケット１３ａとプラグ１３ｂを嵌合させたときに、基板対基板接続コネクタ１４のソケット１４ａとプラグ１４ｂの相互の位置関係にずれが生じている場合であっても位置ずれが吸収されてソケット１４ａとプラグ１４ｂが正常に嵌合する。
【０００９】
１５はプラスティック製のスペーサであり、左右両面にくさび形のスナップロック爪１５ａ，　１５ｂが設けられていて、回路基板に形成した穴にスナップロック爪１５ａ，１５ｂを押し込めば、穴にスナップロック爪１５ａ，　１５ｂが係合して回路基板とスペーサ１５が結合される。
【００１０】
第一回路基板１１には、垂直接続型の基板対基板接続コネクタ１６のソケット１６ａが取付けられていて、図２に示すように基板対基板接続コネクタ１６のプラグ１６ｂ　を取付けたＣＭＯＳカメラモジュール１７をソケット１６ａに直接装着するようにしている。同図は、第一回路基板１１と第二回路基板１２を接続した状態を示し、予め第一回路基板１１にスペーサ５とＣＭＯＳカメラモジュール１７を取付け、図１に示した面を対向させて基板対基板接続コネクタ１３，　１４のソケット１３ａ，　１４ａとプラグ１３ｂ，　１４ｂを位置合わせし、スペーサ１５のスナップロック爪１５ｂを第二回路基板１２の穴１２ａに合わせて第一回路基板１１と第二回路基板１２を挟圧すれば、ソケット１３ａ，　１４ａとプラグ１３ｂ，　１４ｂとが嵌合するとともにスペーサ１５のスナップロック爪１５ｂが第二回路基板１２の穴１２ａに係合して二枚の回路基板１１，　１２が接続される。１８は第一回路基板１１上に取付けた外部映像入力用のＲＣＡピンジャック、１９は第二回路基板１２上に取付けたＲＪ−４５ソケットである。
【００１１】
図３は第一回路基板１１と第二回路基板１２を収容するシールドケースを示し、２０は第二回路基板１２側の左シールドケース、２１は第一回路基板１１側の右シールドケースであり、右シールドケース２１の背面部には、ピンジャック１８を後方へ突出させるための溝２２が切欠かれている。溝２２の幅はピンジャック１８のスリーブ部１８ａの外径よりやや広く、スリーブ部１８ａが位置する箇所に突起２３が形成されていて、溝２２内にスリーブ部１８ａを挿入すると突起２３がスリーブ部１８ａに圧接する。そして、右シールドケース２１に第一回路基板１１と第二回路基板１２を入れて、図４に示すように右シールドケース２１へ左シールドケース２０を嵌合させると、左シールドケース２０の背面部の縁もピンジャック１８のスリーブ部１８ａに接触し、スリーブ部１８ａが左シールドケース２０と右シールドケース２１とに確実に接地される。
【００１２】
尚、この発明は上記の実施形態に限定するものではなく、この発明の技術的範囲内において種々の改変が可能であり、この発明がそれらの改変されたものに及ぶことは当然である。
【００１３】
【発明の効果】
以上説明したように、本発明のピンジャックのシールド方法によれば、ピンジャックのスリーブ部を直接シールドケースへ接触させて接地するので、ピンジャックのスリーブ部へ装着するシールドプレートが不要であり、部品点数が削減される。また、二分割型シールドケースにおいては、一方のシールドケースに形成した溝から回路基板のピンジャックを外部へ突出させて、溝の突起をピンジャックのスリーブ部へ圧接させるとともに、他方のシールドケースの側縁がピンジャックのスリーブ部へ接触する構成とすることにより、二分割されているケースの双方に確実に接地されてシールド効果が安定化する。
【図面の簡単な説明】
【図１】本発明の実施の一形態を示し、（ａ）はパーソナルネットワークカメラの第一回路基板の平面図、（ｂ）は第二回路基板の平面図である。
【図２】第一回路基板と第二回路基板を接続した状態の背面図。
【図３】シールドケースを示し、（ａ）は左シールドケースの背面図、（ｂ）は右シールドケースの背面図である。
【図４】第一回路基板と第二回路基板をシールドケースへ収容した状態の背面図。
【図５】従来例を示し、（ａ）はシールドプレートの正面図、（ｂ）はシールドプレートの側面図である。
【図６】従来例を示し、ピンジャックへシールドプレートを装着する手順の解説図。
【符号の説明】
１１　　　　　第一回路基板
１２　　　　　第二回路基板
１３　　　　　基板対基板接続コネクタ
１３ａ　　　　ソケット
１３ｂ　　　　プラグ
１４　　　　　基板対基板接続コネクタ
１４ａ　　　　ソケット
１４ｂ　　　　プラグ
１５　　　　　スペーサ
１５ａ，　１５ｂ　　　　　　スナップロック爪
１６　　　　　垂直接続型基板対基板接続コネクタ
１６ａ　　　　ソケット
１６ｂ　　　　プラグ
１７　　　　　ＣＭＯＳカメラモジュール
１８　　　　　ピンジャック
１８ａ　　　　スリーブ部
２０　　　　　左シールドケース
２１　　　　　右シールドケース
２２　　　　　溝
２３　　　　　突起
【図１】
2004127852.tif 000003
【図２】
2004127852.tif 000004
【図３】
2004127852.tif 000005
【図４】
2004127852.tif 000006
【図５】
2004127852.tif 000007
【図６】
2004127852.tif 000008